(57)【要約】  ユーザ端末によりチャネル品質情報を報告するための方法が開示される。上記の方法は、報告される必要があるシステムにおけるチャネル品質情報報告サブ帯域の総数Ｍとチャネル品質情報報告サブ帯域数Ｎとを得るステップと、全てのサブ帯域のチャネル品質を測定し、上記測定結果に従って報告される必要があるＮ個のチャネル品質情報報告サブ帯域と該当チャネル品質情報値とを決定するステップと、報告される必要がある上記サブ帯域を表示するためにＬビット長さのシーケンスを基地局へ転送するステップと、報告される必要があるサブ帯域に該当するチャネル品質情報値を基地局へ転送するステップとを含む。
2009517965.tif 000002
【特許請求の範囲】
【請求項１】
ａ）ユーザ端末により、報告される必要があるシステムにおけるチャネル品質情報報告サブ帯域の総数Ｍとチャネル品質情報報告サブ帯域数Ｎとを得るステップと、
ｂ）前記ユーザ端末により全てのサブ帯域のチャネル品質を測定し、前記測定結果によって報告される必要があるＮ個のチャネル品質情報報告サブ帯域と該当チャネル品質情報値を決定するステップと、
ｃ）前記ユーザ端末により、報告される必要があるサブ帯域を表示するために、
【数１】
2009517965.tif 000014
により定義されるＬビット長さのシーケンスを基地局へ転送するステップと、
ｄ）前記ユーザ端末により、報告される必要があるサブ帯域に該当するチャネル品質情報値を基地局へ転送するステップと、
を含むことを特徴とするユーザ端末によりチャネル品質情報を報告するための方法。
【請求項２】
前記Ｍの値は、システムでの転送帯域幅をチャネル品質情報報告サブ帯域での帯域幅で割ることにより得られて、Ｎは“０”より大きくてＭより小さいことを特徴とする請求項１に記載のユーザ端末によりチャネル品質情報を報告するための方法。
【請求項３】
ステップｃ）で、前記ユーザ端末は、
【数２】
2009517965.tif 000015
ビット長さのシーケンスとＭ個の報告サブ帯域からＮ個の報告サブ帯域を選択することにより形成された組み合せとの間の対応関係に従う表示のために、報告される必要があるサブ帯域組み合せに対応するＬビット長さのシーケンスを見出すことを特徴とする請求項１に記載のユーザ端末によりチャネル品質情報を報告するための方法。
【請求項４】
前記Ｌビット長さのシーケンスにより報告されたサブ帯域のインデックスを表示することは、該サブ帯域においてチャネル品質情報値の報告を伴うことを特徴とする請求項１に記載のユーザ端末によりチャネル品質情報を報告するための方法。
【請求項５】
Ｌビット長さのシーケンスを有する報告されたチャネル品質情報サブ帯域の表示後に、該当チャネル品質情報値の表示が数回転送されることを特徴とする請求項１に記載のユーザ端末によりチャネル品質情報を報告するための方法。
【請求項６】
ステップｃ）で、前記ユーザ端末は、報告されたサブ帯域の表示のためのＬビット長さのシーケンスを、物理階層シグナリングを通じて基地局へ転送することを特徴とする請求項１に記載のユーザ端末によりチャネル品質情報を報告するための方法。
【請求項７】
ステップｃ）で、前記ユーザ端末は報告されたサブ帯域の表示のためのＬビット長さのシーケンスを、上位階層シグナリングを通じて基地局へ転送することを特徴とする請求項１に記載のユーザ端末によりチャネル品質情報を報告するための方法。
【請求項８】
ステップｄ）で、サブ帯域における報告チャネル品質情報値を転送するステップは、
最大チャネル品質情報値を有するチャネル品質情報報告サブ帯域のインデックスと最大チャネル品質情報値を表示するステップと、
前記最大チャネル品質情報値とその他のチャネル品質情報報告サブ帯域でのチャネル品質情報値との間の差分値を表示するステップと、
を含むことを特徴とする請求項１に記載のユーザ端末によりチャネル品質情報を報告するための方法。
【請求項９】
対応関係表は、前記ユーザ端末と前記基地局に格納されることを特徴とする請求項１または３に記載のユーザ端末によりチャネル品質情報を報告するための方法。
【請求項１０】
対応関係は、
前記ユーザ端末により、報告される必要があるシステムにおけるチャネル品質情報報告サブ帯域の総数Ｍとチャネル品質情報報告サブ帯域数Ｎとを得るステップと、
“１”に設定されたＮ個のビットを有する全ての可能なＭビット長さのシーケンスを生成するステップと、
前記生成されたシーケンスをそれらの２進値に従って整列するステップと、
前記ユーザ端末により、全てのサブ帯域に対してチャネル品質を測定するステップと、
最適のチャネル品質を有するＮ個のチャネル品質情報報告サブ帯域を、報告すべきＮ個のサブ帯域として選択し、Ｍ個のチャネル品質情報報告サブ帯域からＮ個のサブ帯域を選択することにより形成された組み合せに対応する、“１”に設定されたＮ個のビットを有するＭビット長さのビットマッピングされたシーケンスを決定するステップと、
“１”に設定されたＮ個のビットを有する前記Ｍビット長さのシーケンスに従って、“１”に設定されたＮ個のビットを有する整列された全てのＭビット長さのシーケンスの中から、前記Ｍビット長さのシーケンスのシーケンス番号を見出すステップと、
前記１０進シーケンス番号を、所望のＬビット長さのシーケンスであるＬビット長さの２進シーケンスに変換するステップと、
により決定されることを特徴とする請求項１または３に記載のユーザ端末によりチャネル品質情報を報告するための方法。
【請求項１１】
ａ）基地局により、チャネル品質情報報告チャネルを介してユーザ端末から報告されるチャネル品質情報シグナリングを受信するステップと、
ｂ）前記基地局により、前記チャネル品質情報報告シグナリングからチャネル品質情報報告サブ帯域を表示するＬビット長さのシーケンスを抽出し、Ｍ個のチャネル品質情報報告サブ帯域からＮ個のチャネル品質情報報告サブ帯域を選択することにより形成される組み合せと前記Ｌビット長さのシーケンスとの間の関係に従って前記ユーザ端末により報告されるＮ個のサブ帯域を有するチャネル品質情報を決定するステップと、
ｃ）前記ユーザ端末から転送された前記チャネル品質情報シグナリングから抽出された前記報告サブ帯域のチャネル品質情報値を得るステップと、
を含むことを特徴とする基地局におけるユーザ端末により報告されるチャネル品質表示を識別するための方法。
【請求項１２】
前記基地局は、標準明細（standard specification）を通じて、またはネットワークエンティティーからのシグナリング通知を通じて、報告される必要があるシステムでのサブ帯域の総数とサブ帯域数とを得ることを特徴とする請求項１１に記載の基地局におけるユーザ端末により報告されるチャネル品質表示を識別するための方法。
【請求項１３】
ステップｂ）で、 
【数３】
2009517965.tif 000016
長さのシーケンスとＭ個のサブ帯域からＮ個のサブ帯域を選択することにより形成された組み合せとの間の対応関係によってＬビット長さのシーケンスにより表示されたＮ個の報告サブ帯域が決定されることを特徴とする請求項１１に記載の基地局におけるユーザ端末により報告されるチャネル品質表示を識別するための方法。
【請求項１４】
ステップｃ）で、前記ユーザ端末からのチャネル品質情報シグナリングでの前記チャネル品質情報報告サブ帯域のチャネル品質情報値を抽出するステップは、
最大チャネル品質情報値を有するサブ帯域のインデックスを表示する前記抽出された情報ビットに従ってＮ個のチャネル品質情報報告サブ帯域の中で、最大チャネル品質情報値を有するサブ帯域を決定するステップと、
前記最大チャネル品質情報値を表示する、求められた情報ビットに従って報告された最大チャネル品質情報値を決定するステップと、
前記計算された最大チャネル品質情報値、及び残りの“Ｎ−１”個のチャネル品質情報報告サブ帯域でのチャネル品質情報値と前記最大チャネル品質情報値との間の差値を表示する差ビットに従って残りの“Ｎ−１”個のチャネル品質情報報告サブ帯域に対してチャネル品質情報値を決定するステップと、
を含むことを特徴とする請求項１１に記載の基地局におけるユーザ端末により報告されるチャネル品質表示を識別するための方法。
【請求項１５】
前記基地局は、前記ユーザ端末と基地局とに格納された対応関係表に従って、前記基地局とユーザ端末との間の対応関係を得ることを特徴とする請求項１３に記載の基地局におけるユーザ端末により報告されるチャネル品質表示を識別するための方法。
【請求項１６】
前記対応関係の決定は、
前記基地局により、報告される必要があるシステムでのチャネル品質情報報告サブ帯域の総数Ｍとチャネル品質情報報告サブ帯域数Ｎとを得るステップと、
前記基地局により、“１”に設定されたＮ個のビットを有する全ての可能なＭビット長さのシーケンスを生成するステップと、
前記生成されたシーケンスをそれらの２進値に従って整列するステップと、
前記基地局により、前記ユーザ端末から前記チャネル品質情報報告シグナリングを受信するステップと、
前記チャネル品質情報報告シグナリングからＬビット長さのシーケンスを抽出するステップと、
前記Ｌビット長さのシーケンスを１０進数に変換し、“１”に設定されたＮ個のビットを有する全てのＭビット長さのシーケンスから前記シーケンスを該シーケンス番号の１０進値に従って見出すステップと、
を含むことを特徴とする請求項１３に記載の基地局におけるユーザ端末により報告されるチャネル品質表示を識別するための方法。
【請求項１７】
アンテナ、無線周波数受信機、アナログ／ディジタル変換部、保護間隔除去部、及び直交周波数分割多重復調部を含み、
ａ）全てのサブ帯域のチャネル品質を測定するためのパイロット信号対雑音比測定部と、
ｂ）全ての測定されたサブ帯域のチャネル品質に従って、報告される必要がある周波数帯域を決定し、報告される必要があるサブ帯域の総数とサブ帯域数とに従って、報告サブ帯域の表示のためのビットシーケンスと報告チャネル品質情報値の表示のための情報ビットとを決定して、チャネル品質情報報告シグナリングを生成するためのユーザ端末制御及び処理部と、
ｃ）前記生成されたチャネル品質情報報告シグナリングを基地局へ転送するための送信機と、
をさらに含むことを特徴とするユーザ端末におけるチャネル品質表示を報告するための装置。
【発明の詳細な説明】
【技術分野】
【０００１】
本発明は、無線通信システムに関し、特に無線通信システムにおける周波数スケジューリング（scheduling）のためのチャネル品質情報（Channel Quality Indicator：ＣＱＩ）方法に関する。
【背景技術】
【０００２】
現在、第３世代の移動通信システムパートナーシッププロジェクト（３rd  Generation Mobile Communication System  Partnership Project：３ＧＰＰ）標準化機構が既存のシステム基準に対する長期的な発展（Long-Term Evolution：ＬＴＥ）を目標として発足した。多数の物理階層転送技術のうち、直交周波数分割多重（Orthogonal  Frequency Division Multiplexing：ＯＦＤＭ）は、比較的高いスペクトル利用効率（spectrum utilization efficiency）と比較的低い処理複雑度（processing complexity）のような長所を有するため、全てのダウンリンク（downlink）ソリューション（solutions）において挑戦的な（challenging）技術となっている。
【０００３】
事実上、直交周波数分割多重は、マルチキャリヤ（multi-carrier）変調通信技術であり、直交周波数分割多重の基本原理は、高速データストリームを多数の低速データストリームに区分し、区分された多数の低速データストリームを直交サブキャリヤ群（a group of sub-carriers）を通じて同時に転送する。マルチキャリヤの特徴のため、直交周波数分割多重技術は多くの面で優れた性能を有する。（１）直交周波数分割多重技術の顕著な優位性は次のような点にある。データが複数のサブキャリヤを通じて並列で転送され、各サブキャリヤにおいてシンボルの長さは互いに対応するように増加し、かつチャネル遅延に対する感応（sensitivity）に関わらず増加するため、チャネル遅延が各シンボル（symbol）に保護間隔（guard spacing）を加えて、導入される循環前置（Cyclic Prefix：ＣＰ）の長さより小さい場合、シンボル間の干渉（Inter-Symbol Interference：ＩＳＩ）を全て除去することができる。このように、各サブキャリヤは均一な（flat）フェーディングチャネルを経験する。（２）直交周波数分割多重技術は、高いスペクトル利用効率を有する。周波数領域において、直交周波数分割多重信号は実際に互いに重複される。この重複はスペクトル利用効率を格段に向上させる。（３）直交周波数分割多重技術は、反狭帯域（anti-narrow band）干渉において、または周波数選択フェーディング（frequency selective fading）に対する抵抗において確実な能力を有する。直交周波数分割多重では、チャネル符号化（channel coding）とインターリビング（interleaving）とを通じて周波数ダイバーシティ（diversity）効果と時間ダイバーシティ効果とが得られるので、狭帯域干渉または周波数選択フェーディングを効果的に防ぐことができる。（４）直交周波数分割多重技術において、基底帯域逆高速フーリエ変換（Inverse Fast Fourier Transform：ＩＦＦＴ）により変調が実現でき、逆高速フーリエ変換／高速フーリエ変換（Fast Fourier Transform：ＦＦＴ）は有効な高速計算方法を有し、ディジタル信号処理（Digital Signal Processing：ＤＳＰ）チップとハードウェア構造とで都合良く具現できる。
【０００４】
直交周波数分割多重無線転送システムにおいて、データ転送の比較的高い処理率（スループット）を得るために、周波数割り当てをデータ転送に適用できる。ユーザの各転送チャネルは異なる周波数帯域で異なる周波数領域フェーディングの影響を受ける。従って、各ユーザは周波数帯域で異なるチャネル品質を有する。周波数スケジューリングと共に、データ転送の処理率を最大化する比較的優れたチャネル条件で周波数帯域をユーザに割り当てることができる。
【０００５】
周波数スケジューリングを実行するために、基地局は割り当てられた各周波数帯域でユーザ端末（User Equipment：ＵＥ）のチャネル品質を知らなければならない。従って、各ユーザ端末が基地局に全ての周波数帯域のチャネル品質情報を報告しなければならない。単一ユーザが基地局にチャネル品質情報を報告するのに必要とされる情報ビット数は全ての周波数帯域において該当チャネル品質情報報告に必要とされる全情報ビット数と同一である。従って、各ユーザ端末別に、報告する割り当てられた周波数帯域が多ければ多いほど、相応する必要アップリンク（uplink）シグナリングオーバーヘッド（signaling overhead）はより一層大きくなる。
【０００６】
周波数割り当て過程の間、各ユーザ端末のチャネル品質別に基地局が得る情報と個別的な特徴（detail）とが多ければ多いほど、情報に従ってより一層優れたスケジューリング利得を得ることになる。しかしながら、情報報告が多ければ多いほど、アップリンクシグナリングのオーバーヘッドはより一層大きくなり、アップリンクデータ転送に、より多くの影響（impact）を及ぼす。従って、特定周波数割り当て利得が保証されることを前提にして、チャネル品質情報報告においてアップリンクシグナリングオーバーヘッドを極力低減するためのより優れた方法に注目すべきである。
【０００７】
現在、チャネル品質報告において、該当シグナリングオーバーヘッドを減らすための多くの方法が存在する。最もよく利用される方法は、ユーザ端末が基地局に比較的優れたチャネル品質を有する周波数帯域のチャネル品質情報を報告する方法である。しかしながら、この方法では、該当報告周波数帯域のチャネル品質情報ビット以外に、報告されたチャネル品質情報がどの周波数帯域に属するかを表示する基地局転送用の余分の情報ビットが必要である。報告される周波数帯域数は全周波数帯域数の一部であるので、該当シグナリングオーバーヘッドはこの方法により格段に減る。
【０００８】
現在、部分的な周波数帯域のチャネル品質情報を報告する際、ビットマッピング（bit-mapping）方法は、報告されるチャネル品質情報がどの周波数帯域に属するかを表示するのに利用される。この方法において、仮にシステムが全Ｍ個の報告されるチャネル品質情報を有すると、Ｍ個のビットのシーケンスが表示（indication）のために採用される。この表示によると、報告するのに必要とされる周波数帯域に相応するビットのシーケンス番号を“１”に設定し、報告する必要のない周波数帯域に相応するビットのシーケンス番号を“０”に設定する。
【０００９】
図１に示すように、報告されたチャネル品質情報が属する周波数帯域を表示するにあたって、ビットマッピング方法ではチャネル品質情報報告シグナリングはビットマッピングシーケンスを含み、ビットマッピングシーケンスの各ビットは一つの周波数帯域に該当する。仮に、上記ビットが“１”に設定されると、該当周波数帯域はチャネル品質情報により報告される周波数帯域である。仮に、上記ビットが“０”に設定されると、該当周波数帯域はチャネル品質情報により報告される周波数帯域でない。
【００１０】
前述したように、部分的な周波数帯域のチャネル品質情報報告に必要とされるシグナリングビットは２つの部分を含む。１つの部分はビットマッピング方法により報告される必要がある周波数帯域を表示するものである。もう１つの部分は周波数帯域のチャネル品質情報を報告するものである。
【００１１】
報告される必要がある周波数帯域を表示するためのビットマッピング方法において、必要とされる情報ビット数は全チャネル品質情報報告周波数帯域数に左右されるが、報告される必要がある周波数帯域数とは何ら関係がない。周波数帯域表示に必要とされる情報ビット数は、システムにおいて全周波数帯域数と同一である。従って、仮にシステムに比較的多くの周波数帯域が存在すると、シグナリングオーバーヘッドは相変わらず大きい。チャネル品質情報報告において、それ以上の最適化を遂行する新たな方法を採用する必要がある。選択された周波数帯域のチャネル品質情報報告のために、全チャネル品質情報報告に対するシグナリングオーバーヘッドを減らすための最適化方法が採用できる。
【発明の開示】
【発明が解決しようとする課題】
【００１２】
本発明の目的は、報告される必要がある全周波数帯域数とチャネル品質情報周波数帯域数とにより、チャネル品質情報周波数帯域を報告するのに必要とされる情報ビット数を決定する方法を提供することにある。
【課題を解決するための手段】
【００１３】
本発明の一態様によると、ユーザ端末によりチャネル品質情報を報告するための方法において、 ａ）ユーザ端末により、報告される必要があるシステムにおけるチャネル品質情報報告サブ帯域の総数Ｍとチャネル品質情報報告サブ帯域数Ｎとを得るステップと、ｂ）上記ユーザ端末により、全てのサブ帯域のチャネル品質を測定し、上記測定結果によって報告される必要があるＮ個のチャネル品質情報報告サブ帯域と該当チャネル品質情報値を決定するステップと、ｃ）上記ユーザ端末により、報告される必要があるサブ帯域を表示するために、
【００１４】
【数１】
2009517965.tif 000003
により定義されるＬビット長さのシーケンスを基地局へ転送するステップと、ｄ）上記ユーザ端末により、報告される必要があるサブ帯域に該当するチャネル品質情報値を基地局へ転送するステップとを含む。
【００１５】
本発明の他の態様によると、基地局におけるユーザ端末により報告されるチャネル品質表示（Channel Quality Indication）を識別するための方法において、ａ）基地局により、チャネル品質情報報告チャネルを介してユーザ端末から報告されるチャネル品質情報シグナリングを受信するステップと、ｂ）上記基地局により、上記チャネル品質情報報告シグナリングからチャネル品質情報報告サブ帯域を表示するＬビット長さのシーケンスを抽出し、Ｍ個のチャネル品質情報報告サブ帯域からＮ個のチャネル品質情報報告サブ帯域を選択することにより形成される組み合せと上記Ｌビット長さのシーケンスとの間の関係に従って上記ユーザ端末により報告されるＮ個のサブ帯域を有するチャネル品質情報を決定するステップと、ｃ）上記ユーザ端末から転送された上記チャネル品質情報シグナリングから抽出された上記報告サブ帯域のチャネル品質情報値を得るステップとを含む。
【００１６】
本発明の更に他の態様によると、ユーザ端末におけるチャネル品質表示を報告するための装置であって、アンテナ、無線周波数（Radio Frequency：ＲＦ）受信機、アナログ／ディジタル変換部、保護間隔除去部、及び直交周波数分割多重復調部を含み、ａ）全てのサブ帯域のチャネル品質を測定するためのパイロット信号対雑音比測定部と、ｂ）全ての測定されたサブ帯域のチャネル品質に従って、報告される必要がある周波数帯域を決定し、報告される必要があるサブ帯域の総数とサブ帯域数とに従って、報告サブ帯域の表示のためのビットシーケンスと報告チャネル品質情報値の表示のための情報ビットとを決定して、チャネル品質情報報告シグナリングを生成するためのユーザ端末制御及び処理部と、ｃ）上記生成されたチャネル品質情報報告シグナリングを基地局へ転送するための送信機とをさらに含む。
【発明の効果】
【００１７】
ビットマッピング方法に比べて、本発明は、報告される必要があるチャネル品質情報報告サブ帯域を表示するために比較的短いビットシーケンスを利用し、またチャネル品質情報報告サブ帯域のチャネル品質情報値に該当する情報ビット数を減らす方法を採用する。従って、シグナリングオーバーヘッドをより一層減らすことができる。
【発明を実施するための最良の形態】
【００１８】
本発明は、比較的高い周波数スケジューリング利得を得て、かつチャネル品質情報報告におけるシグナリングオーバーヘッドを最小化するようにチャネル品質情報を報告するための方法を提案する。
【００１９】
ユーザ端末のチャネル品質情報報告シグナリングは、次の２つの部分からなる。１つは、報告されたチャネル品質情報サブ帯域のインデックスを表示するものである。もう１つは、報告されたチャネル品質情報報告サブ帯域のチャネル品質情報値を表示するものである。２つのアプローチは、ユーザ端末がチャネル品質情報報告シグナリングを転送するために採用できる。
【００２０】
アプローチ１では、Ｌビット長さのシーケンスにより報告されたサブ帯域のインデックスを表示することが該当サブ帯域におけるチャネル品質情報値の報告を伴う。アプローチ１によりシグナリングの上記２つの部分は物理階層シグナリングを通じて転送される。ここで、いわゆる物理階層シグナリングは、３ＧＰＰ ＴＳ２５．２１１でのチャネル品質情報報告シグナリングと類似している。図２は、物理階層シグナリングが２種類のシグナリングを転送するために採用される過程を説明する。
【００２１】
アプローチ２では、Ｌビット長さのシーケンスにより報告されるチャネル品質情報報告サブ帯域数の報告が該当サブ帯域においてチャネル品質情報値の数回の報告を伴う。アプローチ２によりシグナリングの上記２つの部分は物理階層シグナリングまたは上位階層シグナリングを通じて転送される。ここで、いわゆる上位階層シグナリングは、３ＧＰＰ ＲＲＣ（Radio Resource Control）プロトコルでのＲＲＣシグナリングと類似している。シグナリングの上記２つの部分の転送は下記の通り遂行できる。
ａ）物理階層シグナリングは、先に、報告されたサブ帯域のインデックスを表示するためのシグナリングを転送するために採用され、次に、報告されたチャネル品質情報報告サブ帯域においてチャネル品質情報値のためのシグナリングを数回転送するために採用される。
ｂ）上位階層シグナリングは、先に、報告されたサブ帯域のインデックスの表示のためのシグナリングを転送するために採用され、次に、物理階層シグナリングは、報告されたチャネル品質情報報告サブ帯域のチャネル品質情報値のためのシグナリングを数回転送するために採用される。
ｃ）上位階層シグナリングは、先に、報告されたサブ帯域のインデックスの表示のためのシグナリングを一回転送し、報告されたチャネル品質情報報告サブ帯域においてチャネル品質情報値のためのシグナリングを一回または数回転送するために採用され、次に、物理階層シグナリングは、報告されたチャネル品質情報報告サブ帯域においてチャネル品質情報値のためのシグナリングを数回転送するために採用される。
【００２２】
２種類のシグナリングの転送において、上位階層シグナリングと物理階層シグナリングとを用いるツリー転送方法のシグナリング転送のフロー図を図３Ａ、図３Ｂ、及び図３Ｃを参照しつつ各々説明する。
【００２３】
報告された周波数サブ帯域のインデックスを表示するためのシグナリングを実行するために、本発明で提案された方法では報告されたサブ帯域のインデックスを表示するにシーケンスを用いる。詳細な実行過程は、下記の通りである。
【００２４】
まず、システムにおいて、全チャネル品質情報報告サブ帯域数Ｍと、基地局及びシステムが報告しなければならないチャネル品質情報サブ帯域数Ｎとに従って、表示された報告周波数帯域のためのビットシーケンスの長さＬを決定することが必要である。長さＬは下記の数式により得られる。
【００２５】
【数２】
2009517965.tif 000004
Ｍの値は、システムの転送帯域幅をチャネル品質情報報告サブ帯域の帯域幅で割って得る。Ｎは“０”より大きくてＭより小さい。
【００２６】
特定の対応関係は、Ｌビット長さのシーケンスとＭ個のチャネル品質情報報告サブ帯域からＮ個のチャネル品質情報報告サブ帯域を選択して得られる組み合せとの間に存在する。ビットシーケンスの長さが既に決定された後、Ｍ個のチャネル品質情報報告サブ帯域からＮ個のチャネル品質情報報告サブ帯域を選択して得られる組み合せを整列することが必要であり、かつ、Ｍ個のチャネル品質情報報告サブ帯域からＮ個のチャネル品質情報報告サブ帯域を選択することにより得られる各組み合せが、固有なＬビット長さのシーケンスに対応するように、該可能な選択モードをＬビット長さのシーケンスに対応させることが必要である。このように、Ｍ個のチャネル品質情報報告サブ帯域からＮ個のチャネル品質情報報告サブ帯域を選択することにより得られる可能な組み合せをＬビット長さのシーケンスにより表示することに、羅列（enumeration）方法が採用できる。Ｌ≦Ｍであるので、選択されたチャネル品質情報報告サブ帯域をマッピングまたは表示することにＭビットを採用する方法に比べて、上記羅列方法は、必要とされる情報ビット数を減らす。
【００２７】
ここで、幾つかの対応関係は、Ｌビット長さのシーケンスと、（Ｍ個のチャネル品質情報報告サブ帯域からＮ個のチャネル品質情報報告サブ帯域を選択することにより得られる）組み合せとの間に存在することができる。しかしながら、（Ｍ個のチャネル品質情報報告サブ帯域からＮ個のチャネル品質情報報告サブ帯域を選択することにより得られる）組み合せからマッピングされる各Ｍビット長さのシーケンスが、固有なＬビット長さのシーケンスに該当することを、各対応関係により保証することが必要である。仮に、Ｍ個のチャネル品質情報報告サブ帯域からＮ個のチャネル品質情報報告サブ帯域を選択することにより得られる組み合せを示すことに、“１”に設定されたＮ個のビットを有するＭビット長さのシーケンスが利用されると、対応関係は下記の表１で提示されることができる。
【００２８】
表１は、Ｍ個のチャネル品質情報報告サブ帯域からＮ個のチャネル品質情報報告サブ帯域を選択することにより得られる組み合せとＬビット長さのシーケンスとの間の対応関係を示す。
【００２９】
【表１】
2009517965.tif 000005
ここで、仮に
【００３０】
【数３】
2009517965.tif 000006
であれば、一対一のマッピング関係が、Ｌビット長さのシーケンスと“１”に設定されたＮ個のビットを有するＭビット長さのシーケンスとの間に存在することができる。仮に
【００３１】
【数４】
2009517965.tif 000007
であれば、Ｌビット長さのシーケンスの個数は、“１”に設定されたＮ個のビットを有するＭビット長さのシーケンス個数より大きい。この場合、Ｌビット長さのシーケンスが残される。
【００３２】
仮に、対応関係がネットワークとユーザ端末とに知られると、Ｌビット長さのシーケンスを含むチャネル品質情報報告をユーザ端末が基地局へ転送する時、基地局は、ユーザ端末により報告されたチャネル品質情報がどのチャネル品質情報報告サブ帯域に属するかを知る。以下のアプローチは、対応関係を得るためにユーザ端末とネットワークとにより採用できる。
【００３３】
方法１において、ユーザ端末とネットワークは、同一な対応関係マッピング表を格納し、この対応関係マッピング表に従い、対応関係が発見できる。
【００３４】
ユーザ端末と基地局は、Ｌビット長さのシーケンスとＭ個のチャネル品質情報報告サブ帯域から選択されるＮ個のチャネル品質情報報告サブ帯域の組み合せ（Ｍ個のチャネル品質情報報告サブ帯域からＮ個のチャネル品質情報報告サブ帯域を選択することにより得られる）との間の可能な対応関係の同一な表を格納する。この表に、Ｌビット長さのシーケンスとＮ個のチャネル品質情報報告サブ帯域の組み合せ（Ｍ個のチャネル品質情報報告サブ帯域からＮ個のチャネル品質情報報告サブ帯域を選択することにより得られる）との間の全ての可能な種類のマッピング関係が含まれる。一つの可能な対応関係は、“１”に設定されたＮ個のビットを有するＭビット長さのシーケンスがＬビット長さのシーケンスに該当するものである。ユーザ端末がＮ個のチャネル品質情報報告サブ帯域のチャネル品質情報を報告することを希望する際、ユーザ端末は、“１”に設定されたＮ個のビット（Ｎ個のチャネル品質情報報告サブ帯域に該当する）を有するＭビット長さのシーケンスに該当するＬビット長さのシーケンスを見出し、次にその見出したＬビット長さのシーケンスをチャネル品質情報報告に含めて、上記Ｌビット長さのシーケンスを基地局へ転送する。基地局がこのチャネル品質情報測定報告を受信した後、基地局は、報告された周波数サブ帯域を表示するＬビット長さのシーケンスを先に抽出する。このＬビット長さのシーケンスに従い、Ｌビット長さのシーケンスと“１”に設定されたＮ個のビットを有するＭビット長さのシーケンスとの間の対応関係の表において、Ｌビット長さのシーケンスに該当するＭビット長さのシーケンスにおいて（“１”に設定された）Ｎ個のビットが発見され、ユーザ端末により報告されたチャネル品質情報がどのチャネル品質情報報告サブ帯域に属するかが分かる。次に、報告周波数帯域のためのシグナリングは、ユーザ端末の報告されたチャネル品質情報に関する識別過程を終了するために計算される。ここで、基地局は、ユーザ端末により報告された周波数帯域と該当チャネル品質情報値とを知る。
【００３５】
方法２において、Ｍ個のチャネル品質情報報告サブ帯域から選択されたＮ個のチャネル品質情報報告サブ帯域の組み合せとＬビット長さのシーケンスとの間に固有な所定の関係が存在する場合、ユーザ端末と基地局は、対応関係を計算する所定のアルゴリズムを各々採用する。
【００３６】
方法２において、Ｍ個のチャネル品質情報報告サブ帯域から選択されたＮ個のチャネル品質情報報告サブ帯域のチャネル品質情報を報告するために、所定のアルゴリズムに従ってＭ個のチャネル品質情報報告サブ帯域から選択されたＮ個のチャネル品質情報報告サブ帯域の組み合せ（Ｍ個のチャネル品質情報報告サブ帯域からＮ個のチャネル品質情報報告サブ帯域を選択することにより得られる）に対応するＬビット長さのシーケンスをユーザ端末が決定することが必要である。次に、ユーザ端末は、上記Ｌビット長さのシーケンスをチャネル品質情報報告に含めることにより、上記Ｌビット長さのシーケンスを基地局へ転送する。基地局は、先に、チャネル品質情報測定報告を受信した後、チャネル品質情報報告サブ帯域を表示するＬビット長さのシーケンスを抽出し、次に、所定のアルゴリズムに従ってＬビット長さのシーケンスがどの周波数帯域に該当するかを計算する。次に、基地局は、報告された周波数サブ帯域においてチャネル品質情報値の表示のためのシグナリングを抽出して、ユーザ端末の報告されたチャネル品質情報に関する識別過程を終了する。ここで、基地局は、ユーザ端末により報告されたチャネル品質情報報告サブ帯域と各チャネル品質情報報告サブ帯域における該当チャネル品質情報値とを知る。
【００３７】
方法３において、ユーザ端末とネットワークは、Ｌビット長さのシーケンスと“１”に設定されたＮ個のビットを有するＭビット長さのシーケンスとの間の対応関係を計算するために所定の数式を各々採用する。
【００３８】
方法３において、Ｍ個のチャネル品質情報報告サブ帯域から選択されたＮ個のチャネル品質情報報告サブ帯域のチャネル品質情報を報告するために、Ｎ個のサブ帯域に該当する、“１”に設定されたＮ個のビットを有するＭビット長さのシーケンスをユーザ端末が決定する必要がある。所定の数式に従い、ユーザ端末は、転送される必要があるＬビット長さのシーケンスにおけるビット値を計算し、次にユーザ端末は、チャネル品質情報報告に上記Ｌビット長さのシーケンスを含めることにより、上記Ｌビット長さのシーケンスを基地局へ転送する。基地局は、Ｌビット長さのシーケンスを受信した後、ユーザ端末により報告されたチャネル品質情報がどのチャネル品質情報報告サブ帯域に属するかを知るために、所定の数式に従って“１”に設定されたＮ個のビットを有するＭビット長さのシーケンスを計算する必要がある。次に、基地局は、報告された周波数サブ帯域におけるチャネル品質情報の表示のためのシグナリングを抽出して、ユーザ端末により報告されたチャネル品質情報に関する識別過程を終了する。ここで、基地局はユーザ端末により報告されたチャネル品質情報サブ帯域と該当チャネル品質情報値とを知る。
【００３９】
報告されたチャネル品質情報報告サブ帯域の表示について説明した後、報告周波数帯域のチャネル品質情報値を表示するためのシグナリングを実現するための方法が下記に説明される。この方法において、所定の情報ビットが最上のチャネル品質を有するサブ帯域とサブ帯域の該当絶対チャネル品質情報値とを表示するのに利用される。次に、全てのチャネル品質情報報告サブ帯域におけるチャネル品質情報値の報告を終了するために、情報ビットによりチャネル品質情報報告サブ帯域（最上のチャネル品質を有する）のチャネル品質情報値とその他の報告されたサブ帯域のチャネル品質情報絶対値との間の差分値を報告することに差等法（differential method）が採用される。報告されたサブ帯域において、チャネル品質情報値の表示のためのシグナリングのフォーマットは図４に図示される。図４において、４０１は、最大チャネル品質情報値を有するチャネル品質情報報告サブ帯域のインデックスを表示する情報ビットを示す。この情報ビットは、報告されたＮ個のチャネル品質情報報告サブ帯域の中で、最大チャネル品質情報値を有するチャネル品質情報報告サブ帯域、即ち、Ｎ個のサブ帯域の中で、最大チャネル品質情報値を有するチャネル品質情報報告サブ帯域のインデックスを表示する。表示される必要があるサブ帯域は、Ｎ個のチャネル品質情報報告サブ帯域のうちの１つであるので、必要とされる情報ビット数はNi-maxでありうる。
【００４０】
【数５】
2009517965.tif 000008
数式５において、Ni-maxの情報ビットは、報告されたＮ個のチャネル品質情報報告サブ帯域の中でどのサブ帯域が最大チャネル品質情報値を有するかを表示するのに充分である。
【００４１】
参照符号４０２は、最大チャネル品質情報値を有するチャネル品質情報報告サブ帯域のチャネル品質情報値を表示する情報ビットを示す。最大値の報告に必要とされる情報ビット数は、絶対チャネル品質情報値の報告に必要とされる情報ビット数と同一である。
【００４２】
参照符号４０３は、その他の“Ｎ−１”個のチャネル品質情報報告サブ帯域のチャネル品質情報値と最大チャネル品質情報値との間の差を提示するために採用される。仮に、１つのサブ帯域での差を提示することにNdifjビットを採用することが必要であれば、“Ｎ−１”個のサブ帯域の差を提示するのに必要とされる情報ビット数は、数式６と同一でなければならない。
【００４３】
【数６】
2009517965.tif 000009
差を示すことに必要とされる情報ビット数は、一般的にシステムにより制限されることが分かる。即ち、差ビット数により最大差の表示に対する制限が行われる。このように、差ビットを有するチャネル品質情報値の表示は、最大チャネル品質情報値より小さいように制限されるが、最大チャネル品質情報値と最大差値との間の差よりは大きいように制限される。本発明の方法において、仮に所定のチャネル品質情報報告サブ帯域において、チャネル品質情報値が最大チャネル品質情報値から最大差値を引いた値より小さければ、上記チャネル品質情報値は最大差ビット、即ち、最大差値により表される。
【００４４】
このように、３種類の情報ビットにより、報告される必要があるＮ個のチャネル品質情報報告サブ帯域のチャネル品質情報値が適切に表せる。
【００４５】
下記に、本発明で提案された方法によりチャネル品質情報報告を実行するにあたって、ユーザ端末により遂行されるステップは、図５に説明されたように提示される。
【００４６】
５０１は、動作ステップの開始を示す。
【００４７】
ステップ５０２で、報告される必要があるシステムのチャネル品質情報報告サブ帯域の総数Ｍとチャネル品質情報報告サブ帯域数Ｎとが得られる。ユーザ端末がＭとＮを得る方法は、通知をしない基準に従って決定されることができる。または、上記ＭとＮの値は、シグナリング通知を通じてネットワークにより知らせることができる。この通知は、周期的に、またはイベント発生時に起こりうる。上記シグナリング通知がネットワークを介して採用される場合、ＭとＮの値をネットワークエンティティー（entity）内のＲＲＣプロトコル端末機のエンティティーに知らせるために、上記ＲＲＣプロトコル端末機のエンティティーからユーザ端末にＲＲＣシグナリングを送ることにより、上記の通知が実行できる。
【００４８】
ステップ５０３で、ユーザ端末は、全てのＭ個のチャネル品質情報報告サブ帯域に対してチャネル品質を測定する。
【００４９】
ステップ５０４で、ユーザ端末は、全ての測定されたチャネル品質情報報告サブ帯域から最適のチャネル品質を有するＮ個のチャネル品質情報報告サブ帯域を選択する。
【００５０】
ステップ５０５で、ユーザ端末は、測定されたＮ個のチャネル品質情報報告サブ帯域の信号対雑音比（Signal-to-Noise Ratio：ＳＮＲ）に従い、報告されるチャネル品質情報値を決定する。
【００５１】
ステップ５０６で、ユーザ端末は、チャネル品質情報報告サブ帯域の表示を送るか否かを判断する。仮に、送れればステップ５０７に進行し、でなければステップ５１０に進行する。
【００５２】
仮に、前述した第１のアプローチがチャネル品質情報報告シグナリングを転送するために採用されると、即ち、報告されたサブ帯域のインデックスをＬビット長さのシーケンスにより表示することが該当サブ帯域でのチャネル品質情報値の報告を伴うと、判断結果は、常にどのような場合でも正しく、言い換えると、判断結果に従って直接ステップ５０７に進行する。
【００５３】
前述した第２のアプローチがチャネル品質情報報告シグナリングを転送するために採用される場合、即ち、報告されたチャネル品質情報サブ帯域をＬビット長さのシーケンスにより表示した後、該当チャネル品質情報値の表示が数回転送される。この場合、該当サブ帯域において、チャネル品質情報値がどれくらい数回再転送されるべきかの決定は、イベント発生時に起こる決定、または周期的な決定により実現される。イベント発生時に起こる決定の場合、仮に報告される必要があるチャネル品質情報サブ帯域に起こる変化がなければ、Ｌビット長さのシーケンスでなく、該当サブ帯域におけるチャネル品質情報値が転送される。周期的な決定の場合、実行できる方法は該当周波数帯域におけるチャネル品質情報値の特定回数の転送を伴いながらＬビット長さのシーケンスを一回転送する。
【００５４】
Ｌビット長さのシーケンスにより表示される報告されたチャネル品質情報報告サブ帯域のシーケンス番号の転送のためのシグナリングは、物理階層シグナリングまたは上位階層シグナリングでもよいことが分かる。
【００５５】
Ｌビット長さのシーケンスの転送のためのシグナリングが物理階層シグナリングである場合、該当周波数サブ帯域におけるチャネル品質情報値の転送のためのシグナリングも物理階層シグナリングである。
【００５６】
上位階層シグナリングがＬビット長さシーケンスを転送するために利用される場合、上記上位階層シグナリングが転送された後、物理階層シグナリングが該当周波数帯域におけるチャネル品質情報値を転送するために利用される。代替的な方法は、上記上位階層シグナリングが転送された後、上位階層シグナリングが該当周波数帯域におけるチャネル品質情報値を一回または数回転送するために利用される。次に、物理階層シグナリングが該当周波数帯域におけるチャネル品質情報値を数回転送するために採用される。
【００５７】
ステップ５０７で、数式３により、報告されたＮ個のチャネル品質情報報告サブ帯域を表示するために利用されるビットシーケンスの長さＬは、ＭとＮの値により決定される。
【００５８】
ステップ５０８で、Ｎ個のチャネル品質情報報告サブ帯域の今回報告のために選択された組み合せだけでなく、Ｍ個のチャネル品質情報報告サブ帯域からＮ個のチャネル品質情報報告サブ帯域を選択することにより得られる組み合せとＬビット長さのシーケンスとの間の対応関係に従って、Ｌビット長さのシーケンスが決定される。
【００５９】
ステップ５０９で、チャネル品質情報報告サブ帯域を表示するために、決定されたＬビット長さのシーケンスが基地局へ転送される。
【００６０】
ステップ５１０で、Ｎ個のチャネル品質情報報告サブ帯域の中で、最大チャネル品質情報値を有するサブ帯域のインデックスを表示するための情報ビットは、報告されたＮ個のチャネル品質情報サブ帯域の中で、最大チャネル品質情報値を有するサブ帯域が存在する位置によって決定される。
【００６１】
ステップ５１１で、最大チャネル品質情報値の報告に必要とされる情報ビットがＮ個のチャネル品質情報報告サブ帯域の最大チャネル品質情報値によって決定される。
【００６２】
ステップ５１２で、“Ｎ−１”個の報告されたサブ帯域でのチャネル品質情報値と最大チャネル品質情報値との間の差分値の表示のための差ビットは、最大チャネル品質情報値とその他の“Ｎ−１”個のチャネル品質情報報告サブ帯域でのチャネル品質情報値との間の差に従って決定される。
【００６３】
ステップ５１３で、チャネル品質情報報告サブ帯域におけるチャネル品質情報値が転送される。このシグナリングは最大チャネル品質情報値、最大チャネル品質情報値の表示のための情報ビット、及び最大チャネル品質情報値とその他の“Ｎ−１”個のサブ帯域でのチャネル品質情報値との間の差の表示のための差等ビットを有するサブ帯域のインデックスを表示する情報ビットを含む。
【００６４】
ステップ５１４で、チャネル品質情報を続けて報告するか否かを判断して、仮に報告すればステップ５０３に進行し、でなければステップ５１５に進行する。ここで、上記の判断は現在のダウンリンクデータの転送が終了されるか否かによって下せる。仮に、転送が終了されればチャネル品質情報が続けて報告されず、でなければチャネル品質情報を続けて報告する。
【００６５】
ステップ５１５は、動作ステップの終了を示す。
【００６６】
ユーザ端末において、チャネル品質情報報告を実行するための装置は、図６に図示される。
【００６７】
図６において、ユーザ端末が制御処理部６０２を通じて実行する機能が本発明を具現する。チャネル品質測定装置６０１により、ユーザ端末は全てのサブ帯域に対してチャネル品質を測定する。次に、チャネル品質測定装置６０１は、測定されたデータを制御処理部６０２に送る。
【００６８】
前述した方法に従って、制御処理部は、チャネル品質情報報告サブ帯域の表示のためのＬビット長さのシーケンスを決定する。チャネル品質測定装置から転送されたチャネル品質の結果に従い、チャネル品質情報報告サブ帯域のためのチャネル品質情報値が決定され、チャネル品質情報報告サブ帯域において、チャネル品質情報値の転送のための情報ビットが決定される。ここで、適用される方法では、最大チャネル品質情報値を有するサブ帯域のインデックスのための情報ビット、最大チャネル品質情報値の表示のための情報ビット、及び最大チャネル品質情報値と残りのサブ帯域でのチャネル品質情報値との間の差を表示するための差分ビットを決定する。従って、チャネル品質情報報告サブ帯域を表示するＬビット長さのシーケンスと該当サブ帯域でのチャネル品質情報値を報告する情報ビットとを含むチャネル品質情報報告シグナリングが得られる。次に、チャネル品質情報シグナリングは、転送装置６０３を通じて基地局へ転送されることができる。２つのアプローチが採用される。
【００６９】
１つは、報告されたサブ帯域のインデックスをＬビット長さのシーケンスにより表示することが、該当サブ帯域でのチャネル品質情報値の報告を伴うものである。
【００７０】
もう１つでは、報告されたチャネル品質情報サブ帯域をＬビット長さのシーケンスにより表示した後、該当チャネル品質情報値の表示が数回転送される。
【００７１】
ユーザ端末から報告されたチャネル品質情報シグナリングを受信して報告されたチャネル品質情報値を計算するために、本発明に従って基地局により採用される過程を、図７を参照して説明する。
【００７２】
ステップ７０１は、動作ステップの開始を示す。
【００７３】
ステップ７０２で、基地局は、報告される必要があるシステムでのチャネル品質情報報告サブ帯域の総数Ｍとチャネル品質情報報告サブ帯域数Ｎとを得る。ここで、基地局に報告される必要があるチャネル品質情報報告サブ帯域数は、システムでの報告サブ帯域の一定数であったり、またはシグナリングを通じてネットワークエンティティーから転送された通知（この通知は規則的に、またはイベント発生時に起こる）であったり、または規則的なアプローチやイベント発生時に作用するアプローチにより決定される、報告される必要があるサブ帯域数でもよい。
【００７４】
ステップ７０３で、基地局はチャネル品質情報報告チャネルを介してユーザ端末から報告されたチャネル品質情報シグナリングを受信する。
【００７５】
ステップ７０４で、基地局はチャネル品質情報報告シグナリングから報告サブ帯域を表示するＬビット長さのシーケンスを抽出し、Ｍ個のサブ帯域から選択されたＮ個のチャネル品質情報報告サブ帯域の組み合せとＬビット長さのシーケンスとの間の対応関係によって、ユーザ端末により報告されたＮ個のチャネル品質情報報告サブ帯域を決定する。
【００７６】
次に、基地局はユーザ端末から転送されたチャネル品質情報シグナリングから報告サブ帯域でのチャネル品質情報値を抽出する。報告サブ帯域でのチャネル品質情報値を計算するために採用される方法は、次のステップを含む。
【００７７】
ステップ７０５で、どのサブ帯域がＮ個のチャネル品質情報報告サブ帯域の中で最大チャネル品質情報値を有するかは、最大チャネル品質情報値を有するサブ帯域のインデックスを表示する抽出された情報ビットによって決定される。
【００７８】
ステップ７０７で、残りの“Ｎ−１”個のチャネル品質情報報告サブ帯域に対するチャネル品質情報値は、抽出された最大チャネル品質情報値によって、及び残りの“Ｎ−１”個のチャネル品質情報報告サブ帯域と最大チャネル品質情報値との間の差値を表示する差ビットによって決定される。
【００７９】
次に、ステップ７０８に進行してチャネル品質情報を受信するか否かを決定する。仮に、受信すればステップ７０３に進行し、でなければステップ７０９に進行する。上記の決定はユーザ端末によるデータの現在の転送が終了されるか否かによって下されることができる。仮に、転送が終了されればチャネル品質情報の受信を中止し、でなければチャネル品質情報を引続き受信する。
【００８０】
ステップ７０９は、動作ステップの終了を示す。
【００８１】
（実施形態）
本発明に係る方法を明瞭に説明するために、実施形態が下記に提示される。
【００８２】
まず、システムにおいてチャネル品質情報報告サブ帯域の総数Ｍを決定する一例が説明される。
【００８３】
Ｍは、システムの転送帯域幅をチャネル品質情報報告サブ帯域の帯域幅で割ることにより決定される。
【００８４】
現在の３ＧＰＰ ＬＴＥシステムに対する論議によると、システム帯域幅は、１．２５ＭＨｚ、２．５ＭＨｚ、５ＭＨｚ、１０ＭＨｚ、１５ＭＨｚ、または２０ＭＨｚであることができ、該当転送帯域幅は、１．１２５ＭＨｚ、２．２５ＭＨｚ、４．５ＭＨｚ、９ＭＨｚ、１３．５ＭＨｚ、または１８ＭＨｚであることができる。システムの帯域幅は転送帯域幅に保護（guard）帯域幅を加えた値と同一であるので、転送帯域幅はシステムの帯域幅より小さいことが分かる。
【００８５】
Ｍを計算する例が下記に提示される。仮に、システム帯域幅が１０ＭＨｚ、即ち、転送帯域幅が９ＭＨｚであり、チャネル品質情報報告サブ帯域の帯域幅が７５０ＫＨｚであれば、Ｍ＝９ＭＨｚ／７５０ＫＨｚ=１２。仮に、システム帯域幅が２０ＭＨｚ、即ち、転送帯域幅が１８ＭＨｚであり、チャネル品質情報報告サブ帯域の帯域幅が７５０ＫＨｚであれば、Ｍ＝１８ＭＨｚ／７５０ＫＨｚ=２４。仮に、システム帯域幅が４．５ＭＨｚ、即ち、チャネル品質情報報告サブ帯域が３７５ＫＨｚであれば、Ｍ＝４．５ＭＨｚ／３７５ＫＨｚ=１２。
【００８６】
チャネル品質情報報告サブ帯域の最大帯域幅はシステムの転送帯域幅であり、チャネル品質情報報告サブ帯域の最小帯域幅は直交周波数分割多重サブキャリヤの幅であることが分かる。
【００８７】
現在の３ＧＰＰ ＬＴＥシステムに対する論議において、最大システム帯域幅は２０ＭＨｚ、即ち、転送帯域幅は１８ＭＨｚであり、一つのサブキャリヤの幅は１５ＫＨｚである。このように、Ｍは１≦Ｍ≦１２００の範囲内で制限される。
【００８８】
システムにより要求される報告されるチャネル品質情報報告サブ帯域数Ｎは、０≦Ｎ≦Ｍの範囲内で制限される。所定の値が基準により決定されることができるか、ネットワークエンティティーからのシグナリングにより通知されることができる。
【００８９】
下記にチャネル品質情報報告を実行する例が提示される。
【００９０】
この例において、システムにおいてチャネル品質情報報告サブ帯域の総数Ｍは１２、即ち、Ｍ＝１２である。各ユーザ端末が報告しなければならないチャネル品質情報報告サブ帯域数は３、即ち、Ｎ＝３に固定される。提案された方法により、報告される必要がある３個のサブ帯域に対する全ての可能な組み合せ数は
【００９１】
【数７】
2009517965.tif 000010
である。このように、報告サブ帯域を表示するために利用されるシーケンスの長さＬは次の数式の通りである。
【００９２】
【数８】
2009517965.tif 000011
仮に、Ｌビット長さのシーケンスとＭ個のチャネル品質情報報告サブ帯域からＮ個のチャネル品質情報報告サブ帯域を選択することにより得られた組み合せ数との間の格納された対応関係を利用する方法がここに適用されると、８ビットシーケンスと１２個のチャネル品質情報報告サブ帯域から３個のチャネル品質情報サブ帯域を選択することにより得られた組み合せ形態との間の対応関係が、ユーザ端末とネットワークエンティティーとに格納されなければならない。可能な対応関係が下記の表２で説明される。
【００９３】
表２は、８ビットシーケンスと１２個のチャネル品質情報報告サブ帯域から３個のチャネル品質情報報告サブ帯域を選択することにより得られる組み合せ形態との間の対応関係を示す。
【００９４】
【表２】
2009517965.tif 000012
仮に、アルゴリズムにより計算する方法がここで実現されると、アルゴリズムの一例は下記のように提示される。
【００９５】
ユーザ端末により上記アルゴリズムを実行するフローが図８で説明される。上記のアルゴリズムは次のステップを含む。
【００９６】
ステップ８０１は、ステップの開始を示す。
【００９７】
ステップ８０２で、ユーザ端末は報告される必要があるシステムでの周波数帯域の総数Ｍとチャネル品質情報報告サブ帯域数Ｎとを得る。
【００９８】
ステップ８０３で、“１”に設定されたＮ個のビットを有する全ての可能なＭビット長さのシーケンスが生成される。
【００９９】
ステップ８０４で、生成されたシーケンスがそれらの２進値により昇順（降順）で整列される。
【０１００】
ステップ８０５で、ユーザ端末は全てのサブ帯域に対してチャネル品質を測定する。
【０１０１】
ステップ８０６で、Ｎ個のチャネル品質情報報告サブ帯域（最適のチャネル品質を有する）が、報告されるＮ個のサブ帯域として選択され、Ｍ個のチャネル品質情報報告サブ帯域からＮ個のサブ帯域を選択することにより形成された組み合せに対応するＭビット長さのビットマッピングされたシーケンス（“１”に設定されたＮ個のビットを有する）が決定される。
【０１０２】
ステップ８０７で、“１”に設定されたＮ個のビットを有するＭビット長さのシーケンスに従って、“１”に設定されたＮ個のビットを有する上記整列されたＭビット長さのシーケンスのインデックスが発見される。
【０１０３】
ステップ８０８で、１０進インデックスが、所望のＬビット長さのシーケンスであるＬビット長さの２進シーケンスに変換される。
【０１０４】
ステップ８０９で、データを転送するか否かが決定される。仮に、転送すればステップ８０５に進行し、でなければステップ８１０に進行する。
【０１０５】
ステップ８１０は、ステップの終了を示す。
【０１０６】
基地局において、アルゴリズムのフローは図９で説明される。上記のアルゴリズムは次のステップを含む。
【０１０７】
ステップ９０１は、ステップの開始を示す。
【０１０８】
ステップ９０２で、報告される必要があるシステムでのチャネル品質情報報告サブ帯域の総数Ｍとチャネル品質情報報告サブ帯域数Ｎとを得る。
【０１０９】
ステップ９０３で、“１”に設定されたＮ個のビットを有する全ての可能なＭビット長さのシーケンスが生成される。
【０１１０】
ステップ９０４で、生成されたシーケンスがそれらの２進値に従って昇順（降順）で整列される。
【０１１１】
ステップ９０５で、基地局はユーザ端末からチャネル品質情報報告シグナリングを受信する。
【０１１２】
ステップ９０６で、Ｌビット長さのシーケンスがチャネル品質情報報告シグナリングから抽出される。
【０１１３】
ステップ９０７で、このＬビット長さのシーケンスは１０進数に変換される。
【０１１４】
ステップ９０８で、“１”に設定されたＮ個のビットを有する全てのＭビット長さのシーケンスからそのシーケンス番号の１０進値に従って上記シーケンスが発見される。従って、基地局はユーザ端末により報告されたＮ個のチャネル品質情報報告サブ帯域を得る。
【０１１５】
ステップ９０９で、チャネル品質情報を受信するか否かが決定される。仮に、受信すればステップ９０５に進行し、でなければステップ９１０に進行する。
【０１１６】
ステップ９１０は、ステップの終了を示す。
【０１１７】
上記アルゴリズムによると、ユーザ端末と基地局は、Ｌビット長さのシーケンスとＭ個のチャネル品質情報報告サブ帯域からＮ個のチャネル品質情報報告サブ帯域を選択することにより形成された組み合せとの間に対応関係を得ることができる。
【０１１８】
チャネル品質情報報告に関する一例が下記に提示される。１２個のチャネル品質情報報告サブ帯域のチャネル品質がユーザ端末のために図１０に提示される。図１０から、ＳＢ１からＳＢ１２までのサブ帯域の中で３個のサブ帯域（ＳＢ２、ＳＢ３、及びＳＢ７）が最大チャネル品質情報値を有することが分かる。報告される必要がある周波数帯域を表示するのに利用されるビットマッピング方法を採用する場合、上記の表示のために１２ビット長さのシーケンス“０００００１  ０００１１０”を利用することが必要である。
【０１１９】
しかしながら、対応関係表を格納する前述した方法、またはアルゴリズムにより対応関係を決定する方法の場合、上記シーケンスに該当する８ビット長さのシーケンスを見出す。ここで、表２に表したような８ビット長さのシーケンス“０００１  ０１１０”が上記の表示のために利用できる。
【０１２０】
この例から、ビットマッピング方法に比べて、本発明に従う報告された周波数帯域を表示するための方法は、シグナリングオーバーヘッドの４個のビットを減らせることが分かる。
【０１２１】
上記報告された周波数帯域が表示された後、報告周波数帯域において、チャネル品質情報値を表示するための一実施形態が説明される。前述したような方法により、報告サブ帯域ＳＢ２、ＳＢ３、及びＳＢ７が適切に表示できる。次に、最大値を有するサブ帯域のインデックスを表示することが必要である。この例において、３個のチャネル品質情報報告サブ帯域が報告に必要であるので、最大チャネル品質情報値を有するサブ帯域のシーケンス番号を表示するのに必要とされる情報ビット数は、数式５により下記の通り決定できる。
【０１２２】
【数９】
2009517965.tif 000013
この例において、サブ帯域ＳＢ３は最大チャネル品質情報値を有し、ＳＢ３は３個のサブ帯域において２番目のサブ帯域である。従って、上記の表示を示すために２進ビット“１０”を利用することが必要である。
【０１２３】
次に、最大チャネル品質情報絶対値を表示することが必要である。システムがチャネル品質情報絶対値を示すために５個のビットを利用すると仮定する。この例において、１０進最大チャネル品質情報値が“３０”と仮定し、次に５個のビットがチャネル品質情報値を“１１１１０”と示すために利用される。
【０１２４】
次に、その他の２つのサブ帯域においてチャネル品質情報値を示すことが必要である。ここで、差分法（difference method）が適用される。この例において、差値（difference value）を示すために２つのビットを利用し、ＳＢ２においてチャネル品質情報値は“２９”（最大チャネル品質情報値に比べて“１”だけ小さい）であり、ＳＢ７においてチャネル品質情報値は“２５”（最大品質情報値に比べて“５”だけ小さい）と仮定すると、その時、ＳＢ２は“０１”と表示でき、ＳＢ７は“１１”と表示できる。ＳＢ７でのチャネル品質情報値と最大チャネル品質情報値との間の差は、差ビットが示すことができる範囲を超えて、最大差ビットだけが該差値を示すことに利用されるべきであるということが分かる。従って、このチャネル品質情報報告方法にある程度の誤りが存在する。しかしながら、このような種類の誤りはある程度の範囲内で許される。
【０１２５】
この例において、最終のチャネル品質情報報告シグナリングのフォーマットが図１１Ａと図１１Ｂに図示される。チャネル品質情報報告シグナリングは、下記のように２つの部分からなる。
【０１２６】
一番目の部分は、チャネル品質情報報告サブ帯域を表示するビットシーケンス１１０１である。上記シーケンスの２進値は、図１１Ａに示すように“０００１  ０１１０”である。
【０１２７】
二番目の部分は、図１１Ｂに示すように、報告されたサブ帯域のチャネル品質情報値を表示する情報ビットである。情報ビットは次の内容を含む。
【０１２８】
参照符号１１０２は、最大チャネル品質情報値を有するチャネル品質情報報告サブ帯域が報告サブ帯域中のどこに位置するかを表示する情報ビット“１０”を示す。参照符号１１０３は、最大チャネル品質情報値を表示する情報ビット“１１１１０”を示す。参照符号１１０４は、ＳＢ２の差値を表示する情報ビット“０１”を示す。参照符号１１０５は、ＳＢ７の差値を表示する情報ビット“１１”を示す。
【０１２９】
チャネル品質情報転送のためのシグナリングの上記２つの部分は同時に転送されることもでき、または一番目の部分が先に転送された後、二番目の部分が転送されることができる。また、チャネル品質情報報告シグナリングの一番目の部分の１回の転送が該当サブ帯域においてチャネル品質情報値を表示する二番目の部分の１回の転送を伴う。または、チャネル品質情報報告シグナリングの一番目の部分の１回の転送が、上記シグナリングの変化された二番目の部分の数回の転送を伴う。
【０１３０】
チャネル品質情報報告シグナリングを転送するための方法は、次のステップを含む。
【０１３１】
シグナリングの一番目の部分は物理階層シグナリングを通じて転送され、その二番目の部分も物理階層シグナリングを通じて転送される。
【０１３２】
シグナリングの一番目の部分は上位階層シグナリングを通じて転送され、次に、その変化された二番目の部分が物理階層シグナリングを通じて数回転送される。
【０１３３】
シグナリングの一番目の部分が上位階層シグナリングを通じて転送され、次に、上位階層シグナリングが該当チャネル品質情報報告サブ帯域において、チャネル品質情報値を表示することに一回利用され、次に、物理階層シグナリングが上記シグナリングの二番目の部分を転送することに数回利用される。
【０１３４】
図１２は、本発明に係る方法によりチャネル品質情報報告を実行するためのユーザ端末におけるハードウェアのブロック図を図示する。ユーザ端末は、アンテナ１２０１を介してシグナリングを受信し、無線周波数（ＲＦ）受信機１２０２を通じて受信されたシグナリングを処理し、アナログ／ディジタル（Analog-to-Digital：Ａ／Ｄ）変換部１２０３を通じてアナログ信号をディジタル信号に変換し、保護間隔除去部１２０４を通じて保護間隔を除去し、直交周波数分割多重（ＯＦＤＭ）復調部１２０５を通じて直交周波数分割多重復調（離散フーリエ変換）を遂行し、パイロット信号の信号対雑音比（ＳＮＲ）測定部１２０６を通じて全てのサブ帯域におけるパイロット信号の信号対雑音比を測定し、制御処理部１２０７へ測定結果を転送する。
【０１３５】
前述した方法に従って、制御処理部は、チャネル品質情報報告サブ帯域の表示のためのＬビット長さのシーケンスを決定する。測定装置から転送されたチャネル品質の結果に従い、制御処理部は、チャネル品質情報報告サブ帯域に対してチャネル品質情報値を決定し、さらにチャネル品質情報報告サブ帯域におけるチャネル品質情報値の転送のための情報ビットを決定する。ここで、適用される方法では、最大チャネル品質情報値を有するサブ帯域のインデックスのための情報ビット、上記最大チャネル品質情報値の表示のための情報ビット、及び上記最大チャネル品質情報値と残りのサブ帯域でのチャネル品質情報値との間の差分値の表示のための差ビットを決定する。従って、チャネル品質情報報告サブ帯域を表示するＬビット長さのシーケンスを含むチャネル品質情報報告シグナリングと、該当サブ帯域におけるチャネル品質情報値を報告する情報ビットとが得られる。
【０１３６】
次に、チャネル符号化／インターリビング部１２０８、変調部１２０９、単一搬送波周波数分割多重接続（Frequency Division Multiple Access：ＦＤＭＡ）変調部１２１０、保護間隔加算部１２１１、ディジタル／アナログ（Digital-to-Analog：Ｄ／Ａ）変換部１２１２、無線周波数（ＲＦ）送信機１２１３、及びアンテナ１２０１を通じて、上記決定されたチャネル品質情報シグナリングが基地局へ転送される。
【０１３７】
図１３は、本発明で提案された方法によりチャネル品質情報報告受信を実行するための基地局でのハードウェアのブロック図を図示する。基地局は、アンテナ１３０１を介してシグナリングを受信し、無線周波数（ＲＦ）受信機１３０２を通じて受信されたシグナリングを処理し、アナログ／ディジタル（Ａ／Ｄ）変換部１３０３を通じてアナログ信号をディジタル信号に変換し、保護間隔除去部１３０４を通じて保護間隔を除去し、単一搬送波周波数分割多重接続（ＦＤＭＡ）復調部１３０５を通じて単一搬送波周波数分割多重接続復調を遂行し、復調部１３０６を通じて復調を遂行し、復号化／デインターリビング部１３０７を通じて復号化／デインターリビングを遂行して、ユーザ端末により報告されたチャネル品質情報のための情報ビットを得る。この情報ビットは制御処理部１３０８に入力される。制御処理部１３０８において、前述した方法に従い、どのサブ帯域がユーザ端末により報告されるか、どのサブ帯域が最大チャネル品質情報値を有するか、最大チャネル品質情報値がいくらであるか、そして残りの報告サブ帯域と最大値との間の差分値がいくらであるかに関する全ての問題が適切に解決できる。従って、全ての報告サブ帯域のチャネル品質情報値を得ることができる。これによって、チャネル品質情報報告検出が完了する。
【０１３８】
チャネル品質情報報告サブ帯域のチャネル品質情報値に該当する情報ビット数を減らすために、報告される必要がある全周波数帯域数とチャネル品質情報周波数帯域数によりチャネル品質情報周波数帯域を報告するに必要とされる情報ビット数を決定するための方法及び装置が提供される。
【図面の簡単な説明】
【０１３９】
【図１】報告周波数帯域を表示するためのビットマッピング方法を示す図である。
【図２】チャネル品質情報報告シグナリングが物理階層シグナリングを通じて転送される過程を示すフローチャートである。
【図３Ａ】チャネル品質情報報告シグナリングが上位階層シグナリング及び物理階層シグナリングを通じて転送される過程を示すフローチャートである。
【図３Ｂ】チャネル品質情報報告シグナリングが上位階層シグナリング及び物理階層シグナリングを通じて転送される過程を示すフローチャートである。
【図３Ｃ】チャネル品質情報報告シグナリングが上位階層シグナリング及び物理階層シグナリングを通じて転送される過程を示すフローチャートである。
【図４】チャネル品質情報報告サブ帯域のチャネル品質情報値を表示するために利用されるシグナリングのフォーマットを示す図である。
【図５】ユーザ端末によりチャネル品質情報報告を実行するための動作ステップを示すフローチャートである。
【図６】ユーザ端末におけるチャネル品質情報報告を実行するための装置を示すブロック図である。
【図７】基地局によりチャネル品質情報報告を受信するための動作ステップを示すフローチャートである。
【図８】Ｍ個のチャネル品質情報報告サブ帯域からＮ個のチャネル品質情報報告サブ帯域を選択することにより形成される組み合せとＬビット長さのシーケンスとの間の対応関係を決定するにあたって、ユーザ端末で採用されるアルゴリズムの一例を示すフローチャートである。
【図９】Ｍ個のチャネル品質情報報告サブ帯域からＮ個のチャネル品質情報報告サブ帯域を選択することにより形成される組み合せとＬビット長さのシーケンスとの間の対応関係を決定するにあたって、基地局で採用されるアルゴリズムの一例を示すフローチャートである。
【図１０】一実施形態に従うチャネル品質情報報告サブ帯域のそれぞれのチャネル品質情報値を示す分布図である。
【図１１Ａ】本発明の一実施形態に従うチャネル品質情報を報告するためのシグナリングのフォーマットを示す図である。
【図１１Ｂ】本発明の一実施形態に従うチャネル品質情報を報告するためのシグナリングのフォーマットを示す図である。
【図１２】本発明の一実施形態に従うチャネル品質情報報告のためのユーザ端末でのハードウェアの一例を示すブロック図である。
【図１３】本発明の一実施形態に従うチャネル品質情報受信のための基地局でのハードウェアの一例を示すブロック図である。
【符号の説明】
【０１４０】
４０１  最大ＣＱＩサブ帯域のインデックス
４０２  最大ＣＱＩ絶対値
４０３  差分ＣＱＩ値
【図１】
2009517965.tif 000017
【図２】
2009517965.tif 000018
【図３Ａ】
2009517965.tif 000019
【図３Ｂ】
2009517965.tif 000020
【図３Ｃ】
2009517965.tif 000021
【図４】
2009517965.tif 000022
【図５】
2009517965.tif 000023
【図６】
2009517965.tif 000024
【図７】
2009517965.tif 000025
【図８】
2009517965.tif 000026
【図９】
2009517965.tif 000027
【図１０】
2009517965.tif 000028
【図１１Ａ】
2009517965.tif 000029
【図１１Ｂ】
2009517965.tif 000030
【図１２】
2009517965.tif 000031
【図１３】
2009517965.tif 000032
【国際調査報告】
2009517965.tif 000033
2009517965.tif 000034